(57)【要約】      （修正有）【課題】延伸部材を交換可能なバイブレータを提供する。【解決手段】バイブレータであって、内部に振動モータを設けた基台と、概ね長形を呈し、造形部１２１と収容槽、又は、連結部材を有し、取り外し可能な方式で基台と連結する連結部１２２とを備える延伸部材１２と、を含む。【選択図】図３Ｂ
0003189370.tif 000002
【実用新案登録請求の範囲】
【請求項１】
内部に振動モータを設けた基台と、
概ね長形を呈し、その長軸の両端に位置する第１の造形部と前記第１の造形部に接近する方向に向かって凹んで形成され、前記基台の一端を嵌着する収容槽を有する第１の連結部とを備える第１の延伸部材と、
を含むことを特徴とするバイブレータ。
【請求項２】
前記第１の造形部は、湾曲部、球形体、蛇腹構造、多数のイボを備えるつぶ状構造、複数の繊毛を有する繊毛構造、又は、複数の凸起節を有する節状構造とすることを特徴とする請求項１に記載のバイブレータ。
【請求項３】
前記第１の造形部の末端は、円弧状曲面とすることを特徴とする請求項１に記載のバイブレータ。
【請求項４】
前記第１の延伸部材は、前記第１の造形部と前記第１の連結部とを備える本体と、前記本体に連結し、前記第１の造形部と前記第１の連結部の間に位置し、且つ、前記第１の造形部の方向に向かって延伸する少なくとも１個の分岐部と、を含むことを特徴とする請求項１に記載のバイブレータ。
【請求項５】
前記第１の延伸部材は、高分子弾性材料で構成されることを特徴とする請求項１に記載のバイブレータ。
【請求項６】
対向して設けられた第２の造形部と第２の連結部とを備える第２の延伸部材を更に含み、前記第２の延伸部材の前記第２の連結部は、取り外し可能な方式で前記基台上の収容槽に嵌着する端に対向する他端に連結し、前記第２の連結部と前記基台は互いに接触する両端面の外形及び寸法が一致することを特徴とする請求項１に記載のバイブレータ。
【請求項７】
前記第２の延伸部材と前記基台は、螺接、締め付け接合、係着、或いは、マグネット等の方法で連結することを特徴とする請求項６に記載のバイブレータ。
【請求項８】
前記第２の造形部は、穴を備えることを特徴とする請求項６に記載のバイブレータ。
【請求項９】
前記第２の造形部は、湾曲部、球形体、蛇腹構造、多数のイボを備えるつぶ状構造、複数の繊毛を有する繊毛構造、又は、複数の凸起節を有する節状構造とすることを特徴とする請求項６に記載のバイブレータ。
【請求項１０】
前記第２の延伸部材は、高分子弾性材料、或いは、金属で構成されることを特徴とする請求項６に記載のバイブレータ。
【請求項１１】
内部に振動モータを設けた基台と、
対応して設けられた第２の造形部と取り外し可能な方式で前記基台に連結され、前記基台と互いに接触する両端面の外形及び寸法が一致する第２の連結部とを備える第２の延伸部材と、
を含むことを特徴とするバイブレータ。
【請求項１２】
前記第２の延伸部材と前記基台は、螺接、締め付け接合、係着、或いは、マグネット等の方法で連結することを特徴とする請求項１１に記載のバイブレータ。
【請求項１３】
前記第２の造形部は、穴を備えることを特徴とする請求項１１に記載のバイブレータ。
【請求項１４】
前記第２の造形部は、湾曲部、球形体、蛇腹構造、多数のイボを備えるつぶ状構造、複数の繊毛を有する繊毛構造、又は、複数の凸起節を有する節状構造とすることを特徴とする請求項１１に記載のバイブレータ。
【請求項１５】
前記第２の延伸部材は、高分子弾性材料で構成されることを特徴とする請求項１１に記載のバイブレータ。
【請求項１６】
前記基台は、筐体を含み、前記筐体内に前記振動モータを設けており、前記筐体が剛性材料で構成されることを特徴とする請求項１１に記載のバイブレータ。
【請求項１７】
内部に振動モータを設け、第１の嵌着端と前記第１の嵌着端に対向する第２の嵌着端とを備える基台と、
概ね長形を呈し、その長軸の両端に各々位置する第１の造形部と前記第１の造形部に接近する方向に向かって凹んで形成される第１の収容槽を有する第１の連結部とを備える第１の延伸部材と、
概ね長形を呈し、その長軸の両端に各々位置する第２の造形部と前記第２の造形部に接近する方向に向かって凹んで形成される第２の収容槽を有する第２の連結部とを備える第２の延伸部材と、を含み、
前記第１の収容槽が前記基台の前記第１の嵌着端に嵌着され、前記基台の前記第１の嵌着端を前記第１の延伸部材に被覆されるようにし、前記第２の収容槽が前記基台の第２の嵌着端に嵌着され、前記基台の前記第２の嵌着端を前記第２の延伸部材に被覆されるようにすることを特徴とするバイブレータ。
【請求項１８】
前記第１の収容槽の槽口と前記第２の収容槽の槽口は、対向設置となっていることを特徴とする請求項１７に記載のバイブレータ。
【請求項１９】
前記第１の収容槽と前記第２の収容槽の槽深さ範囲は、４５ｍｍ〜５０ｍｍとすることを特徴とする請求項１７に記載のバイブレータ。
【請求項２０】
前記第１の収容槽と前記第２の収容槽のいずれかの壁厚範囲は、１ｍｍ〜３ｍｍとすることを特徴とする請求項１７に記載のバイブレータ。
【請求項２１】
前記第１の造形部、及び、前記第２の造形部のいずれかは、湾曲部、球形体、蛇腹構造、多数のイボを備えるつぶ状構造、複数の繊毛を有する繊毛構造、又は、複数の凸起節を有する節状構造とすることを特徴とする請求項１７に記載のバイブレータ。
【請求項２２】
前記第１の造形部、及び、前記第２の造形部のいずれかの末端は、円弧状曲面とすることを特徴とする請求項１７に記載のバイブレータ。
【請求項２３】
前記第１の造形部、及び、前記第２の造形部のいずれかの末端が両突出部で、両突出部で挟角を挟むことを特徴とする請求項１７に記載のバイブレータ。
【請求項２４】
前記第１の延伸部材、及び、前記第２の延伸部材のいずれかは、高分子弾性材料で構成されることを特徴とする請求項１７に記載のバイブレータ。
【請求項２５】
前記第１の延伸部材は、前記第１の造形部と前記第１の連結部とを備える第１の本体と、前記第１の本体に連結し、前記第１の造形部と前記第１の連結部の間に位置し、且つ、前記第１の造形部の方向に向かって延伸する少なくとも１個の第１の分岐部と、を含むことを特徴とする請求項１７に記載のバイブレータ。
【請求項２６】
前記第２の延伸部材は、前記第２の造形部と前記第２の連結部とを備える第２の本体と、前記第２の本体に連結し、前記第２の造形部と前記第２の連結部の間に位置し、且つ、前記第２の造形部の方向に向かって延伸する少なくとも１個の第２の分岐部と、を含むことを特徴とする請求項１７に記載のバイブレータ。
【請求項２７】
前記第１の収容槽の内表面、或いは、前記第２の収容槽の内表面は、複数の凹溝を含むことを特徴とする請求項１７に記載のバイブレータ。
【請求項２８】
前記凹溝の溝口は中心方向に向かって設置することを特徴とする請求項２７に記載のバイブレータ。
【請求項２９】
前記凹溝は２組を区分して対向して設置することを特徴とする請求項２７に記載のバイブレータ。
【請求項３０】
前記凹溝の溝路が、互いに平行に設置されることを特徴とする請求項２７に記載のバイブレータ。
【考案の詳細な説明】
【技術分野】
【０００１】
本考案は、バイブレータに関し、特に、付属品を交換できるバイブレータに関する。
【背景技術】
【０００２】
性的欲求は、人間の生活における基本的なニーズであり、生理的欲求面において、大人が、性的パートナーを見つけ、自然に湧きあがってくる欲求に順応してセックスすることで、ストレスを効果的に解消すると共に心身ともに健康となることができる。しかしながら、現在の社会において、パートナーのいないものにとって、自分の性的欲求をいかにして解決するかが、往々にして人に言えない恥ずかしいことであるが、正確に導かなければ社会的性的風俗に関する犯罪行為が生じる可能性がある。時代の流れによる進歩に伴い、人々の考え方も益々開放され、一般的な家庭又はパートナーたちも時に若干のマッサージグッズを使用して情緒的な緊張を発散或いは解消している。
【０００３】
そのため現在の市場において様々なマッサージグッズが発売され、双方の性的欲求に伴い一時的で健全な自慰を行うことで、性病の感染及び病毒が広がる危険性を低減し、また性犯罪の動機及び可能性を減らすことができる。よって、世間におけるマッサージグッズが、性観念の日々の開放に伴い雨後の竹の子のように発売されている。パートナーがある者にとっても大人の玩具の使用により、全身の血行が良くなり筋肉の緊張がゆるみ及び双方の性的な快楽も促進できる。
【０００４】
マッサージグッズは、大まかに男性用と女性用の２種類あり、女性用に供するマッサージグッズは、マッサージ器が主で、従来のマッサージ器の先端部の大半にディルドが配置され、ペニスを模倣したディルドを利用者の膣に挿入し且つディルドの動きにより陰部に対しマッサージ効果を提供することで、利用者の快感と性的快楽を増進し、これを通じて全身の血行が良くなり筋肉の緊張がゆるむという目的が達成される。しかしながら、従来のマッサージ器は、均しく一体成形の固定タイプ或いは取り外して交換できないタイプであるため、自由に局部形状の造形を交換して異なる部位に適用させ、異なる新鮮感又は異なる機能を生むこともできず、長年に渡り女性利用者の性的快楽が感じられず、新鮮味がなく、予想されたストレス解消のマッサージとリラックスの効果を奏することができない。
【考案の概要】
【考案が解決しようとする課題】
【０００５】
これに鑑み、本考案は、従来の技術に存在していたマッサージ器が均しく固定形状のタイプであるという問題を解決するためのバイブレータを提供する。
【課題を解決するための手段】
【０００６】
本考案の一実施例では、内部に振動モータを設けた基台と、概ね長形を呈し、その長軸の両端に位置する第１の造形部と第１の造形部に接近する方向に向かって凹んで形成され、基台の一端を嵌着する収容槽を有する第１の連結部とを備える第１の延伸部材と、を含むバイブレータを提供する。
【０００７】
本考案の別の実施例では、基台と、対応して設けられた第２の造形部と取り外し可能な方式で基台に連結され、基台と互いに接触する両端面の外形及び寸法が一致する第２の連結部とを備える第２の延伸部材と、を含むバイブレータを提供する。
【０００８】
本考案に係るバイブレータは、着脱可能な延伸部材を通じて基台と互いに嵌合することで、利用者が異なるニーズに応じてバイブレータの形式を変更することに供することができる。
【０００９】
更なる本考案の一実施例では、内部に振動モータを設け、第１の嵌着端と第１の嵌着端に対向する第２の嵌着端とを備える基台と、概ね長形を呈し、その長軸の両端に各々位置する第１の造形部と第１の造形部に接近する方向に向かって凹んで形成される第１の収容槽を有する第１の連結部とを備える第１の延伸部材と、概ね長形を呈し、その長軸の両端に各々位置する第２の造形部と第２の造形部に接近する方向に向かって凹んで形成される第２の収容槽を有する第２の連結部とを備える第２の延伸部材と、を含むバイブレータを提供する。第１の収容槽が基台の第１の嵌着端に嵌着され、該基台の該第１の嵌着端を該第１の延伸部材に被覆されるようにし、第２の収容槽が基台の第２の嵌着端に嵌着され、該基台の該第２の嵌着端を該第２の延伸部材に被覆されるようにする。
【００１０】
本考案に係るバイブレータは、着脱可能な第１の延伸部材又は第２の延伸部材を通じて基台と互いに嵌合することで、利用者が異なるニーズに応じてバイブレータの形式を変更することに供することができる。
【００１１】
以下に、実施形態において本考案の特徴及び利点を詳細に記述し、内容を当業者が本考案の技術内容を理解すると共にこれに基づいて実施させることができ、且つ本明細書に開示されている内容、実用新案登録請求の範囲及び図面に基づき、当業者が容易に本考案の関連の目的及び利点を理解できる。
【図面の簡単な説明】
【００１２】
【図１Ａ】本考案に係る第１の実施例のバイブレータ分解図（一）である。
【図１Ｂ】本考案に係る第１の実施例のバイブレータ外観を示す図（一）である。
【図２】本考案に係る第１の実施例のバイブレータの使用状態を示す図である。
【図３Ａ】本考案に係る第１の実施例のバイブレータ外観を示す図（二）である。
【図３Ｂ】本考案に係る第１の実施例のバイブレータ外観を示す図（三）である。
【図３Ｃ】本考案に係る第１の実施例のバイブレータ外観を示す図（四）である。
【図３Ｄ】本考案に係る第１の実施例のバイブレータ外観を示す図（五）である。
【図３Ｅ】本考案に係る第１の実施例のバイブレータ外観を示す図（六）である。
【図４Ａ】本考案に係る第２の実施例のバイブレータ分解図（一）である。
【図４Ｂ】本考案に係る第２の実施例のバイブレータ外観を示す図（一）である。
【図５Ａ】本考案に係る第２の実施例のバイブレータ外観を示す図（二）である。
【図５Ｂ】本考案に係る第２の実施例のバイブレータ外観を示す図（三）である。
【図５Ｃ】本考案に係る第２の実施例のバイブレータ外観を示す図（四）である。
【図５Ｄ】本考案に係る第２の実施例のバイブレータ外観を示す図（五）である。
【図６Ａ】本考案に係る第３の実施例のバイブレータ分解図（一）である。
【図６Ｂ】本考案に係る第３の実施例のバイブレータ外観を示す図（一）である。
【図７Ａ】本考案に係る第３の実施例のバイブレータ外観を示す図（二）である。
【図７Ｂ】本考案に係る第３の実施例のバイブレータ外観を示す図（三）である。
【図７Ｃ】本考案に係る第３の実施例のバイブレータ外観を示す図（四）である。
【図７Ｄ】本考案に係る第３の実施例のバイブレータ外観を示す図（五）である。
【図８Ａ】本考案に係る実施例のバイブレータ分解図（一）である。
【図８Ｂ】本考案に係る実施例のバイブレータ外観を示す図（一）である。
【図９】本考案に係る実施例のバイブレータの使用状態を示す図である。
【図１０Ａ】本考案に係る実施例のバイブレータ断面図（一）である。
【図１０Ｂ】本考案に係る実施例のバイブレータ断面図（二）である。
【図１１】本考案に係る実施例のバイブレータ外観を示す図（二）である。
【図１２】本考案に係る実施例のバイブレータ外観を示す図（三）である。
【図１３】本考案に係る実施例のバイブレータ外観を示す図（四）である。
【図１４】本考案に係る実施例のバイブレータ外観を示す図（五）である。
【図１５Ａ】本考案に係る実施例のバイブレータ外観を示す図（六）である。
【図１５Ｂ】本考案に係る実施例のバイブレータ断面図（三）である。
【図１６】本考案に係る実施例のバイブレータ外観を示す図（七）である。
【図１７】本考案に係る実施例の凹溝を備えるバイブレータ外観を示す図である。
【図１８Ａ】図１７内のＡ−Ａ’線に沿う断面拡大図（一）である。
【図１８Ｂ】図１７内のＡ−Ａ’線に沿う断面拡大図（二）である。
【図１８Ｃ】図１７内のＡ−Ａ’線に沿う断面拡大図（三）である。
【考案を実施するための形態】
【００１３】
（第１の実施例）
図１Ａは、本考案に係る第１の実施例のバイブレータ分解図（一）である。図１Ｂは、本考案に係る第１の実施例のバイブレータ外観を示す図（一）である。図２は、本考案に係る第１の実施例のバイブレータの使用状態を示す図である。
【００１４】
図１Ａ、図１Ｂ及び図２を一緒に参照しながら説明する。バイブレータは、内部に振動モータ１１３（図２）を設ける基台１１と第１の延伸部材１２とを含む。図１Ａに示されるように、第１の延伸部材１２は、概ね長形を呈し、例えば第１の延伸部材１２の外形が棒状構造、楕円柱体或いは卵型構造とすることができるが、本考案の実施例はこれに限定されるものではない。第１の延伸部材１２は、第１の造形部１２１と第１の連結部１２２と第１の柱体部１２３とを含む。第１の柱体部１２３が第１の造形部１２１と第１の連結部１２２の間に連結される。言い換えると、第１の造形部１２１と第１の連結部１２２が該第１の延伸部材１２の長軸の両端に位置する。第１の連結部１２２は第１の造形部１２１に接近する方向に向かって凹んで形成される収容槽１２２ａを有する。言い換えると、収容槽１２２ａの開口方向が第１の造形部１２１から離れた方向に向かう。図１Ｂに示されるように、第１の延伸部材１２は収容槽１２２ａにより基台１１の一端（つまり基台１１の第１端１１１）に嵌着することで、振動モータ１１３から起きる振動を第１の延伸部材１２に伝達して、第１の延伸部材１２が振動モータ１１３に伴って振動させることができる。
【００１５】
一実施例において、基台１１の外形は概ね長方体或いは楕円柱体を呈し、且つ基台１１の辺及び角を全て面取り処理（つまり平滑面）にできるが、本考案の実施例はこれに限定されるものではない。図１Ａに示されるように、第１の造形部１２１の末端は、円弧状曲面とすることができる。
【００１６】
基台１１の筐体材料は、金属、強化ガラス（ｔｅｍｐｅｒｅｄ  ｇｌａｓｓ）又はその他の剛性材料とすることができる。第１の延伸部材１２の材料は、例えばシリコーン或いはラテックスといった高分子弾性材料とすることができる。
【００１７】
一実施態様において、収容槽１２２ａの容積が基台１１の体積より小さく、基台１１の収容槽１２２ａから突出した部分が概ね持ち手状に呈されることで、利用者が握って使用できる。
【００１８】
一実施態様において、収容槽１２２ａの容積が基台１１の体積と等しく、延伸部材１２の収容槽１２２ａは基台１１の全体を被覆するようにし、この実施態様において、延伸部材１２の外形が卵型とすることができる。
【００１９】
図１Ａ及び図１Ｂに示されるように、延伸部材１２が弾性材料で構成されるため、基台１１は収容槽１２２ａの開口部を広げて収容槽１２２ａ内に嵌設することで、収容槽１２２ａと基台１１の結合が確実に締まりばめできる。
【００２０】
一実施例において、図１Ｂに示されるように、第１の造形部１２１が湾曲部で、その湾曲角度は第１角度θ１となることで、利用者の使用するに当たっての人間工学に適する。第１角度θ１は、９０〜１８０度の範囲となり、好ましいく角度が例えば１３５度といった、１００〜１５０度の範囲とすることができる。
【００２１】
図２に示されるように、バイブレータは、電源１４とコントロールモジュール１５と加熱モジュール１７とを更に含むことができる。電源１４、コントロールモジュール１５及び加熱モジュール１７は、基台１１内部に設けられ、且つ相互に電気的に接続できる。電源１４とコントロールモジュール１５は、更に前記振動モータ１１３に電気的に接続できる。そこで、電源１４は充電電池（例えばニッケル水素電池又はリチウム電池）或いは一次電池（例えばアルカリ電池）とすることができる。
【００２２】
一実施例において、バイブレータは、外部電源（例えば商用電源に接続若しくはＵＳＢを通じて電力供給）から電力を受けることができ、電池を電源１４とすることに限定するものではない。
【００２３】
図２に示されるように、コントロールモジュール１５は、外部遠隔制御モジュール１６から送信された制御信号を受信することで、該制御信号に基づき振動モータ１１３の振動周波数と振動強度を制御できる。そこで、コントロールモジュール１５は、実際マイクロコントローラと通信ユニットとを含むことができる。遠隔制御モジュール１６は、別の通信ユニットを含むことができる。前記通信ユニットは、実際通信チップ及びその通信回路で実現できる。制御信号は、有線（例えばＵＳＢ）或いは無線方式（例えば赤外線又はブルートゥース等）を通じて伝送できる。
【００２４】
加熱モジュール１７は、電源１４から電力を受けることができ、またコントロールモジュール１５により制御して加熱することで、基台１１の筐体温度をアップする。若干の実施例において、第１の延伸部材１２或いは第２の延伸部材１３の内表面は、その縦方向に沿って設けられる熱伝導部を備えることができる。熱伝導部の一端が基台１１の筐体と接触して基台１１の熱エネルギーを熱伝導部の他端に伝達することができる。これを介して、第１の延伸部材１２の第１の造形部１２１或いは第２の延伸部材１３の第２の造形部１３１が、熱伝導部から伝達してきた熱エネルギーを受けることで表面温度を上げて、利用者が快適な実感を増進できる。
【００２５】
図３Ａは、本考案に係る第１の実施例のバイブレータ外観を示す図（二）である。図３Ａに示されるように、第１の造形部１２１は、球形体１２４とすることができる。言い換えると、第１の柱体部１２３の末端が球形を呈する第１の造形部１２１に連結する。
【００２６】
図３Ａに示されるように、第１の柱体部１２３は、湾曲部とすることもでき、その湾曲角度が前記第１角度とすることができる。
【００２７】
図３Ｂは、本考案に係る第１の実施例のバイブレータ外観を示す図（三）である。図３Ｂに示されるように、第１の造形部１２１は、蛇腹構造１２５とすることができ、前記蛇腹構造１２５とは螺旋状の凸起構造をいう。そこで、蛇腹の各リングは、同一の凸起程度とすることができ、異なる凸起程度とすることもできる。各リング間隔は同一とすることができ、異なるようにすることもできる。
【００２８】
図３Ｃは、本考案に係る第１の実施例のバイブレータの外観を示す図（四）である。図３Ｃに示されるように、第１の造形部１２１は、多数のイボを備えるつぶ状構造１２６とすることができる。そこで、各イボは、同一の凸起程度を有することができ、異なる凸起程度を有することもできる。更に、各つぶは同一サイズとすることができ、異なるサイズとすることもできる。一実施態様において、つぶ状構造１２６は円形凸起、コーン状凸起、或いは例えばローズ、動物、ハートマーク又はスター等の各種浮き彫りのパターンとすることができるが、本考案はこれに限定されるものではない。
【００２９】
一実施例において、前記イボを繊毛に替えることができ、つまり第１の造形部１２１は複数の繊毛を有する繊毛構造とすることができる。繊毛は、各種天然の毛髪繊維、人工合成繊維或いはストラップ状の柔らかい高分子材料等とすることができる。
【００３０】
図３Ｄは、本考案に係る第１の実施例のバイブレータ外観を示す図（五）である。図３Ｄに示されるように、第１の造形部１２１は、複数の凸起節を有する節状構造１２８とすることができる。これら凸起節は、第１の延伸部材１２の長軸に沿って串型に配列される。そこで、各凸起節は、同一の凸起程度を有することができ、異なる凸起程度を有することもできる。各凸起節は、同一サイズとすることができ、異なるサイズとすることもできる。一実施態様において、節状構造１２８の上には、円形凸起、コーン状凸起、或いは例えば文字、花卉、動物、ハートマーク又はスター等の各種浮き彫りのパターンを有することができる。
【００３１】
図３Ｅは、本考案に係る第１の実施例のバイブレータ外観を示す図（六）である。図３Ｅに示されるように、第１の延伸部材１２は、本体１２７と少なくとも１個の分岐部１２９とを含む。そこで、分岐部１２９は、本体１２７の対向両側に設けられる両分岐部１２９を例とする。本体１２７は、前記第１の造形部１２１と第１の連結部１２２とを備える。分岐部１２９が本体１２７に連結し、且つ第１の造形部１２１と第１の連結部１２２の間（つまり第１の柱体部１２３に位置）に位置する。分岐部１２９は、第１の造形部１２１の方向に向かって延伸する。そこで、分岐部１２９の末端は前記円弧状曲面を備える。若干の実施例において、分岐部１２９は、前記湾曲部１３２、球形体１２４、蛇腹構造１２５、つぶ状構造１２６、繊毛構造又は節状構造１２８を備えることもできる。
【００３２】
（第２の実施例）
本考案に係る第２の実施例のバイブレータ分解図（一）及び外観を示す図（一）の図４Ａ及び図４Ｂを参照しながら説明する。図４Ａに示されるように、本実施例のバイブレータは、前記第１の実施例のバイブレータに比べ、第２の延伸部材１３を更に含む。
【００３３】
図４Ａに示されるように、第２の延伸部材１３は、対向して設けられた第２の造形部１３１と第２の連結部１３３とを含む。基台１１は、収容槽１２２ａに嵌着する第１端１１１と対向する第２の端１１２とを備える。第２の延伸部材１３の第２の連結部１３３は、取り外し可能な方式で基台１１上の収容槽１２２ａに嵌着する端に対向する他端（つまり第２の端１１２）に連結する。第２の連結部１３３と基台１１は、互いに接触する両端面の外形及び寸法が一致する。これを介して、第２の延伸部材１３が基台１１に連結する時、第２の延伸部材１３と基台１１は、平滑な表面（図４Ｂ）を構成できる。そこで、第２の延伸部材１３は、基台１１の筐体と同じ材料で製造（例えば金属）でき、これを介して第２の延伸部材１３と基台１１に一致性を持たせることができる。
【００３４】
図４Ａに示されるように、基台１１の第２の端１１２は、ボルト１１２ａを備え、第２の延伸部材１３がボルト１１２ａに対応するネジ山溝１３ａを備えることができる。ネジ山溝１３ａは、分離できるようボルト１１２ａに結合することで、第２の延伸部材１３を基台１１の第２の端１１２に固定する。ただし本考案の実施例において、基台１１と第２の延伸部材１３の連結方法は、螺接に限定されるものではなく、締め付け接合、係着或いはマグネット等の方法とすることもできる。
【００３５】
図５Ａは、本考案に係る第２の実施例のバイブレータ外観を示す図（二）である。図５Ａに示されるように、第２の延伸部材１３は、概ね棒状を呈し、利用者が握って使用できる。そこで、第２の延伸部材１３の第２の造形部１３１が穴を備え、この穴を通じてバイブレータを掛けて収納できる。
【００３６】
図５Ｂは、本考案に係る第２の実施例のバイブレータ外観を示す図（三）である。図５Ｂに示されるように、第２の延伸部材１３の第２の造形部１３１のサイズは、第２の連結部１３３のサイズより大きくすることができる。第２の延伸部材１３の第２の造形部１３１の形状は、概ね持ち手状或いは円筒錠状を呈することができ、利用者に人間工学に適した方式でバイブレータを握らせることができる。
【００３７】
そこで、図５Ａと図５Ｂに示されるように第２の延伸部材１３は、基台１１の筐体と同じ材料で製造（例えば金属）でき、これを介して第２の延伸部材１３と基台１１に一致性を持たせることができる。
【００３８】
図５Ｃは、本考案に係る第２の実施例のバイブレータ外観を示す図（四）である。図５Ｃに示されるように、第２の延伸部材１３の第２の造形部１３１を湾曲部とすることができる。湾曲部が折り曲げられた後基台１１の方向に向かってフック状（つまりＪ字形）を呈することができる。そこで、第２の延伸部材１３の材質として、例えばシリコーン、又はラテックス等といった高分子弾性材料を選択できる。
【００３９】
図５Ｄは、本考案に係る第２の実施例のバイブレータ外観を示す図（五）である。図５Ｄに示されるように、第２の延伸部材１３は前記第１の延伸部材１２と近似し、本体１３７と少なくとも１個の分岐部１３９とを含むことができる。そこで、分岐部１３９の末端が前記円弧状曲面を備えることができる。
【００４０】
若干の実施例において、本体１３７或いは／及び分岐部１３９は、前記湾曲部１３２、球形体１２４、蛇腹構造１２５、つぶ状構造１２６、繊毛構造又は節状構造１２８を備えることができる。つまり、前記第２の造形部１３１は、前記湾曲部１３２、球形体１２４、蛇腹構造１２５、つぶ状構造１２６、繊毛構造又は節状構造１２８を備えることができる。そこで、基台１１の両端に第１の延伸部材１２及び第２の延伸部材１３を各々連結することを通じて利用者にいずれかを交互に使用させることができる。特に、第１の延伸部材１２及び第２の延伸部材１３が異なる形状の時、利用者に異なる形状の延伸部材を交互に使用させることができる。
【００４１】
一実施態様において、湾曲部の湾曲する第２角度θ２は、９０〜１８０度の範囲となり、好ましいく角度が例えば１３５度といった、１００〜１５０度の範囲とすることができる。
【００４２】
図６Ａは、本考案に係る第３の実施例のバイブレータ分解図（一）である。図６Ｂは、本考案に係る第３の実施例のバイブレータ外観を示す図（一）である。図６Ａ及び図６Ｂに示されるように、前記第１の実施例及び第２の実施例に比べると、本実施例のバイブレータには、前記基台１１と前記第２の延伸部材１３のみとを含む。つまり、第１の実施例のバイブレータは、基台１１と第１の延伸部材１２とを含み、第２の実施例のバイブレータが基台１１と第１の延伸部材１２と第２の延伸部材１３とを含む。
【００４３】
図７Ａは、本考案に係る第３の実施例のバイブレータ外観を示す図（二）である。図７Ｂは、本考案に係る第３の実施例のバイブレータ外観を示す図（三）である。図７Ｃは、本考案に係る第３の実施例のバイブレータ外観を示す図（四）である。図７Ｄは、本考案に係る第３の実施例のバイブレータ外観を示す図（五）である。
【００４４】
図７Ａ、７Ｂ、７Ｃ及び図７Ｄを合わせて参照しながら説明する。基台１１が連結する第２の延伸部材１３の第２の造形部１３１は、先に述べた湾曲部、円筒錠状、球形体、蛇腹構造、つぶ状構造、繊毛構造又は節状構造、若しくは第２の造形部１３１が先に述べた本体と分岐部とを備え、又は前記穴を備えることできる。
【００４５】
上述を取りまとめると、本考案の実施例のバイブレータ外観形状は、着脱可能式第１の延伸部材１２を通じて基台１１と嵌合或いは／及び着脱可能式第２の延伸部材１３により基台１１と嵌合することで、利用者の異なるニーズに応じて交換して変更できる。これを介して従来のマッサージ器が均しく一体成形された固定タイプ又は取り外して交換して使用できないタイプであるため、自由に局部形状の造形を交換して異なる部位に適用させ、異なる新鮮感又は異なる機能を生むこともできず、長年に渡り女性利用者の性的快楽が感じらず、新鮮味がなく、予想されたストレス解消のマッサージとリラックスの効果を奏することができない問題を解決する。
【００４６】
図８Ａは、本考案に係る実施例のバイブレータ分解図である。図８Ｂは、本考案に係る実施例のバイブレータ外観を示す図（一）である。図９は、本考案に係る実施例のバイブレータの使用状態を示す図である。
【００４７】
図８Ａ、図８Ｂ及び図９を一緒に参照しながら説明する。バイブレータは、第１の嵌着端３１１と第１の嵌着端３１１に対向する第２の嵌着端３１２とを備える基台３１と、第１の延伸部材３２と、第２の延伸部材３３とを含む。本考案の実施例では、第１の嵌着端３１１の延伸方向と第２の嵌着端３１２の延伸方向の挟角が１８０度となるのを例としているが、これに限定されるものではない。言い換えると、上記両者の延伸方向の挟角は、実際のニーズに応じて他の角度を呈することができる。基台３１は、長形を呈し、且つ内部に振動モータ３１３（図８Ａ）を設ける。
【００４８】
図８Ａに示されるように、第１の延伸部材３２は、概ね長形を呈し、例えば第１の延伸部材３２の外形が棒状構造、楕円柱体或いは卵型構造とすることができるが、本考案の実施例はこれに限定されるものではない。第１の延伸部材３２は、第１の造形部３２１と第１の連結部３２２と第１の柱体部３２３とを含む。第１の柱体部３２３が第１の造形部３２１と第１の連結部３２２の間に連結される。本考案の実施例は、第１の造形部３２１と第１の連結部３２２が該第１の延伸部材３２の長軸の両端に位置することを例とする。第１の連結部３２２は第１の造形部３２１に接近する方向に向かって凹んで形成される第１の収容槽３２２ａを有する。言い換えると、第１の収容槽１２２ａの開口方向が第１の造形部３２１から離れた方向に向かう。図８Ｂに示されるように、第１の延伸部材３２は第１の収容槽３２２ａにより基台３１の一端（つまり基台３１の第１の嵌着端３１１）に嵌着し、基台３１の第１の嵌着端３１１が第１の延伸部材３２に被覆されることで、第１の嵌着端３１１の振動エネルギーを第１の延伸部材３２にまで完全で伝達させることができる。
【００４９】
本考案に係る実施例のバイブレータ断面図（一）の図１０Ａを参照しながら説明する。第１の収容槽３２２ａの槽深さ範囲は、約４５ｍｍ（ミリメートル）〜５０ｍｍで、例えば４５．５ｍｍとする。第１の収容槽３２２ａの壁厚範囲は、約１ｍｍ〜３ｍｍで、例えば２ｍｍとする。第１の収容槽３２２ａの内直径の幅が約２８ｍｍ〜３２ｍｍで、例えば２９．９５ｍｍとする。これを介して振動モータ３１３から起きた振動を基台３１の外表面を通じて第１の延伸部材３２に伝達し、第１の延伸部材３２が振動モータ３１３と伴って振動させることができる。
【００５０】
図８Ａに示されるように、第２の延伸部材３３は、概ね長形を呈し、例えば第２の延伸部材３３の外形が棒状構造、楕円柱体或いは卵型構造とすることもできるが、本考案の実施例はこれに限定されるものではない。第２の延伸部材３３は、第２の造形部３３１と第２の連結部３３２と第２の柱体部３３３とを含む。第２の柱体部３３３が第２の造形部３３１と第２の連結部３３２の間に連結される。本考案の実施例は、第２の造形部３３１と第２の連結部３３２が該第２の延伸部材３３の長軸の両端に位置することを例とする。第２の連結部３３２は第２の造形部３３１に接近する方向に向かって凹んで形成される第２の収容槽３３２ａを有する。言い換えると、第２の収容槽３３２ａの開口方向が第２の造形部３３１から離れた方向に向かう。図８Ｂに示されるように、第２の延伸部材３３は第２の収容槽３３２ａにより基台３１の他端（つまり基台３１の第２の嵌着端３１２）に嵌着し、基台３１の第２の嵌着端３１２が第２の延伸部材３３に被覆されることで、第２の嵌着端３１２の振動エネルギーを第２の延伸部材３３にまで完全で伝達させることができる。
【００５１】
本考案の実施例において、第１の延伸部材３２は、第１の収容槽３２２ａを利用して基台３１の一端に嵌着し、且つ第２の延伸部材３３が第２の収容槽３３２ａを利用して基台３１の他端に嵌着した時、第１の収容槽３２２ａの槽口と第２の収容槽３３２ａの槽口は、対向設置となってバイブレータ全体のサイズを増加させることができるが、これに限定されるものではなく、第１の収容槽３２２ａの槽口と第２の収容槽３３２ａの槽口も挟角を呈して設置できる。
【００５２】
再度本考案に係る実施例のバイブレータ断面図（一）の図１０Ａを参照しながら説明する。第２の収容槽３２２ａの槽深さ範囲は、約４５ｍｍ〜５０ｍｍで、例えば４５．５ｍｍとする。第２の収容槽３２２ａの壁厚範囲は、約１ｍｍ〜３ｍｍで、例えば２ｍｍとする。第２の収容槽３２２ａの内直径の幅が約２８ｍｍ〜３２ｍｍで、例えば２９．９５ｍｍとする。これを介して振動モータ３１３から起きた振動を基台３１の外表面を通じて第２の延伸部材３３に伝達し、第２の延伸部材３３が振動モータ３１３と伴って振動させることができる。
【００５３】
一実施例において、基台３１の外形は概ね長方体或いは楕円柱体を呈し、且つ基台３１の辺及び角を全て面取り処理（つまり平滑面）にできるが、本考案の実施例はこれに限定されるものではない。図８Ａに示されるように、第１の造形部３２１及び第２の造形部３３１のいずれかの末端は、円弧状曲面とすることができる。
【００５４】
基台３１の筐体材料は、金属、強化ガラス（ｔｅｍｐｅｒｅｄ  ｇｌａｓｓ）又はその他の剛性材料とすることができる。第１の延伸部材３２の材料は、例えばシリコーン或いはラテックスといった高分子弾性材料とすることができる。
【００５５】
図８Ａ及び図８Ｂに示されるように、第１の延伸部材３２及び第２の延伸部材３３が弾性材料で構成されるため、基台３１は第１の収容槽３２２ａ及び第１の収容槽３３２ａの開口部を広げて、第１の延伸部材３２及び第２の延伸部材３３が基台３１の第１の嵌着端３１１及び第２の嵌着端３１２に各々嵌着される。第１の収容槽３２２ａ及び第２の収容槽３３２ａの総容積が基台３１の体積より小さいか又は等しく、第１の収容槽３２２ａ及び第２の収容槽３３２ａと基台３１との結合は、全て締まりばめとする。利用者は、個人の好みによって第１の延伸部材３２を握り、第２の延伸部材３３でストレス解消のマッサージを行い或いは第２の延伸部材３３を握り、第１の延伸部材３２でストレス解消のマッサージを行うことができる。この外に、利用者は第１の延伸部材３２と第２の延伸部材３３を利用して同時に一人又は数人に対してストレス解消のマッサージを行うことできる。
【００５６】
上記の続き、第１の延伸部材３２と第２の延伸部材３３の材料の選定及び第１の収容槽３２２ａと第２の収容槽３３２ａの壁厚と槽深さの設計は、第１の延伸部材と第２の延伸部材３３を基台３１に密に嵌着させることで、基台３１内の振動モータ３１３で生じた振動を効率的に第１の延伸部材３２と第２の延伸部材３３に伝達させることができ、省エネだけでなく、且つストレス解消のマッサージ効果を増進できる。
【００５７】
本考案に係る実施例のバイブレータ断面図（二）の図１０Ｂを参照しながら説明する。一実施例において、第１の造形部３２１及び第２の造形部３３１のいずれかが湾曲部で、その湾曲角度は角度θ１となることで、利用者の使用するに当たっての人間工学に適する。角度θ１は、９０〜１８０度の範囲となり、好ましい角度が例えば１３５度といった、１００〜１５０度の範囲とすることができる。
【００５８】
図９に示されるように、バイブレータは、電源３４とコントロールモジュール３５と加熱モジュール３７とを更に含むことができる。電源３４、コントロールモジュール３５及び加熱モジュール３７は、基台３１内部に設けられ、且つ相互に電気的に接続できる。電源３４とコントロールモジュール３５は、更に前記振動モータ３１３に電気的に接続できる。そこで、電源３４は充電電池（例えばニッケル水素電池又はリチウム電池）或いは一次電池（例えばアルカリ電池）とすることができる。
【００５９】
一実施例において、バイブレータは外部電源（例えば商用電源に接続若しくはＵＳＢを通じて電力供給）から電力を受けるためのポートを設けることもでき、電池を電源３４とすることに限定するものではない。
【００６０】
図９に示されるように、コントロールモジュール３５は、外部遠隔制御モジュール３６から送信された制御信号を受信することで、該制御信号に基づき振動モータ３１３の振動周波数と振動強度を制御できる。そこで、コントロールモジュール３５は、実際マイクロコントローラと通信ユニットとを含むことができる。遠隔制御モジュール３６は、別の通信ユニットを含むことができる。前記通信ユニットは、実際通信チップ及びその通信回路で実現できる。制御信号は、有線（例えばＵＳＢ）或いは無線方式（例えば赤外線又はブルートゥース等）を通じて伝送できる。
【００６１】
加熱モジュール３７は、電源３４から電力を受けることができ、またコントロールモジュール３５により制御して加熱することで、基台３１の筐体温度をアップする。若干の実施例において、第１の延伸部材３２或いは第２の延伸部材３３の内表面は、その縦方向に沿って設けられる熱伝導部を備えることができる。熱伝導部の一端が基台３１の筐体と接触して基台３１の熱エネルギーを熱伝導部の他端に伝達することができる。これを介して、第１の延伸部材３２の第１の造形部３２１或いは第２の延伸部材３３の第２の造形部３３１が、熱伝導部から伝達してきた熱エネルギーを受けることで表面温度を上げて、利用者が快適な実感を増進できる。
【００６２】
各々本考案に係る実施例のバイブレータ外観を示す図（二）及び（六）とする図１１と図１５Ａを参照しながら説明する。第１の造形部３２１及び第２の造形部３３１のうちのいずれかは、球形体３２４（３３４）とすることができる。言い換えると、第１の延伸部材３２を例にした場合、第１の柱体部３２３の末端が球形を呈する第１の造形部３２１に連結する。
【００６３】
図１１に示されるように、第１の柱体部３２３或いは第２の柱体部３３３も湾曲部とすることもでき、その湾曲角度が前記角度θ１とすることができる。
【００６４】
各々本考案に係る実施例のバイブレータ外観を示す図（三）及び（六）とする図１２と図１５Ａを参照しながら説明する。第１の造形部３２１及び第２の造形部３３１のいずれかは、蛇腹構造３２５（３３５）とすることができ、前記蛇腹構造３２５（３３５）とは螺旋状の凸起構造をいう。そこで、蛇腹の各リングは、同一の凸起程度とすることができ、異なる凸起程度とすることもできる。各リング間隔は同一とすることができ、異なるようにすることもできる。
【００６５】
各々本考案に係る実施例のバイブレータ外観を示す図（三）及び（四）とする図１２と図１３を参照しながら説明する。第１の造形部３２１及び第２の造形部３３１のいずれかは、多数のイボを備えるつぶ状構造３２６（３３６）とすることができる。そこで、各イボは、同一の凸起程度を有することができ、異なる凸起程度を有することもできる。更に、各つぶは同一サイズとすることができ、異なるサイズとすることもできる。一実施態様において、つぶ状構造３２６（３３６）は円形凸起、コーン状凸起、或いは例えばローズ、動物、ハートマーク又はスター等の各種浮き彫りのパターンとすることができるが、本考案はこれに限定されるものではない。
【００６６】
一実施例において、前記イボを繊毛に替えることができ、つまり第１の造形部３２１及び第２の造形部３３１のいずれかは複数の繊毛を有する繊毛構造とすることができる。繊毛は、各種天然の毛髪繊維、人工合成繊維或いはストラップ状の柔らかい高分子材料等とすることができる。
【００６７】
各々本考案に係る実施例のバイブレータ外観を示す図（二）及び（五）とする図１１と図１４を参照しながら説明する。第１の造形部３２１及び第２の造形部３３１のいずれかは、複数の凸起節を有する節状構造３２７（３３７）とすることができる。これら凸起節は、第１の延伸部材３２（第２の延伸部材３３）の長軸に沿って串型に配列される。そこで、各凸起節は、同一の凸起程度を有することができ、異なる凸起程度を有することもできる。各凸起節は、同一サイズとすることができ、異なるサイズとすることもできる。一実施態様において、節状構造３２７（３３７）の上には、円形凸起、コーン状凸起、或いは例えば文字、花卉、動物、ハートマーク又はスター等の各種浮き彫りのパターンを有することができる。
【００６８】
各々本考案に係る実施例のバイブレータ外観を示す図（四）、（六）及びバイブレータ断面図（三）とする図１３、図１５Ａ及び図１５Ｂを参照しながら説明する。第１の造形部３２１及び第２の造形部３３１のいずれかの末端が両突出部３２８（３３８）とする。また図１５Ｂに示されるように、両突出部で挟角θ２を挟み、側面から見ると両突出部３２８（３３８）を備える第１の造形部３２１或いは第２の造形部３３１は、概ねＹ字形を呈する。挟角θ２は、３０°〜７５°の範囲内とする。
【００６９】
図１６は、本考案に係る実施例のバイブレータ外観を示す図（七）である。図１６に示されるように、第１の延伸部材３２は、第１の本体３２９ａと少なくとも１個の第１の分岐部３２９ｂとを含む。そこで、第１の分岐部３２９ｂは、第１の本体３２９ａの対向両側に設けられる２つの第１の分岐部３２９ｂを例とする。第１の本体３２９ａは、前記第１の造形部３２１と第１の連結部３２２とを備える。第１の分岐部３２９ｂが第１の本体３２９ａに連結し、且つ第１の造形部３２１と第１の連結部３２２の間（つまり第１の柱体部３２３に位置）に位置する。第１の分岐部３２９ｂは、第１の造形部３２１の方向に向かって延伸する。そこで、第１の分岐部３２９ｂの末端は前記円弧状曲面を備える。若干の実施例において、第１の分岐部３２９ｂは、前記湾曲部３３２、球形体３２４、蛇腹構造３２５、つぶ状構造３２６、繊毛構造又は節状構造３２７を備えることもできる。
【００７０】
再度図１６を参照すると、第２の延伸部材３３は、第１の延伸部材３２と同じように第２の本体３３９ａと少なくとも１個の第２の分岐部３３９ｂとを含むことができる。そこで、第２の分岐部３３９ｂは、第２の本体３３９ａの対向両側に設けられる２つの第２の分岐部３３９ｂを例とする。第２の本体３３９ａは、前記第２の造形部３３１と第２の連結部３３２とを備える。第２の分岐部３３９ｂが第２の本体３３９ａに連結し、且つ第２の造形部３３１と第２の連結部３３２の間（つまり第２の柱体部３３３に位置）に位置する。第２の分岐部３３９ｂは、第２の造形部３３１の方向に向かって延伸する。そこで、第２の分岐部３３９ｂの末端は前記円弧状曲面を備える。若干の実施例において、第２の分岐部３３９ｂは、前記湾曲部３３２、球形体３２４、蛇腹構造３２５、つぶ状構造３２６、繊毛構造又は節状構造３２７を備えることもできる。
【００７１】
これからも分かるとおり、各実施例及び各実施態様の技術的特徴は、交互に引用できるが、本考案が、これに限定されるものではない。
【００７２】
一実施例において、第１の延伸部材３２と第２の延伸部材３３のいずれかは、握りに適した外形（図１０Ｂ）とすることができる。第１の延伸部材１２と第２の延伸部材１３の他は、図１１乃至図１６に示されるような他の種類の外形とすることができる。これを介して多種多様な造形の第１の延伸部材３２と第２の延伸部材３３を組み合わせる状態で、利用者は、握りに適した外形の一端を握ることができ、且つストレス解消のマッサージに適した一端でストレス解消のマッサージを行うことができる。この外に、利用者も第１の延伸部材３２と第２の延伸部材３３の多種多様な造形を通じて同時に一人或いは数人に対しストレス解消のマッサージを行うことで、更に様々な変化のストレス解消のマッサージと性的快楽を提供できる。
【００７３】
若干の実施例において、基台３１に嵌設された第１の延伸部材３２或いは／及び第２の延伸部材３３を更に容易に取り外せるため、先に述べた各実施例の第１の延伸部材３２の第１の収容槽３２２ａ又は／及び第２の延伸部材３３の第２の収容槽３３２ａに複数の凹溝２０を設けることができる。以下の図８Ａに示される第２の延伸部材３３を例として説明する。
【００７４】
本考案に係る実施例の凹溝２０を備えるバイブレータ外観を示す図の図１７を参照しながら説明する。第２の延伸部材３３は、対応する内表面２１と外表面２２とを備える。内表面２１（つまり第２の収容槽３３２ａの側面表面）は、複数の凹溝２０を備える。これら凹溝２０は、複数のグループを区分して内表面２１の異なるエリアに分けて配置できる。そこで、前記グループの数量を２組として、各グループの凹溝２０の数量を５個とし、且つこの２組を対向して設置する。そこで、各グループの凹溝２０の溝路が、直線状を呈して平行に配列される。この外に、凹溝２０の溝口の方向は、実際ニーズに応じて設計できる。本考案の実施例において、凹溝２０の溝口の方向を中心方向に向かって設置し、中心方向が例えば楕円の円心を例にしているが、これに限定されるものではない。これを介して利用者が基台３１に設けられている第２の延伸部材３３に抜き取る力を加えた時、凹溝２０が第２の延伸部材３３の内表面２１と基台３１との密着面積を減少させるため、第２の延伸部材３３と基台３１間の摩擦力を減少し、第２の延伸部材３３の抜き取りを更に容易にさせることができる。凹溝の製作方法は、実際のニーズによって異なることができ、例えば、凹溝を延伸部材の内表面と一体成形とすることができる。加工を通じて凹溝と延伸部材を各々形成してから、凹溝を延伸部材の内表面に設けられる。若しくは延伸部材を形成してから加工を通じて延伸部材の内表面に凹溝等を形成する方法がある。
【００７５】
図１７内のＡ−Ａ’線に沿う断面拡大図（一）の図１８Ａを参照しながら説明する。各凹溝２０の溝底の幅Ｄ１は、溝口の幅Ｄ２より小さく、よって第２の延伸部材３３の内表面２１が基台３１に接触する面積を減らすことができる。そこで、凹溝２０の溝口及び溝底周縁が丸角となる。
【００７６】
図１７内のＡ−Ａ’線に沿う断面拡大図（二）の図１８Ｂを参照しながら説明する。図１８Ｂと図１８Ａの相違点は、図１８Ｂに示される内表面２１の凹溝２０間の横断面が円弧状を呈し、凹溝２０の断面が概ねＶ字形を呈する。
【００７７】
図１７内のＡ−Ａ’線に沿う断面拡大図（三）の図１８Ｃを参照しながら説明する。図１８Ｃと図１８Ａの相違点は、凹溝２０の溝口及び溝底周縁が丸角ではない。
【００７８】
上記実施例及び実施形態からも分かる通り、本考案のうちの１つの特徴は、本考案のバイブレータが着脱可能式第１の延伸部材３２或いは第２の延伸部材３３を通じて基台３１と互いに嵌着するよう嵌合し、利用者に異なるニーズに伴ってバイブレータの形式を変わらせることができる。これを介して従来の技術においてマッサージ器が均しく一体成形された固定タイプ又は取り外して交換して使用できないタイプであるため、自由に局部形状の造形を交換して異なる部位に適用させ、異なる新鮮感又は異なる機能を生むこともできず、長年に渡り女性利用者の性的快楽が感じらず、新鮮味がなく、予想されたストレス解消のマッサージとリラックスの効果を奏することができない問題を解決する。
【００７９】
以上、好ましい実施例を用いて、本考案の技術的内容を例示的に説明するだけであって、本考案の範囲を限定して狭義に解釈されるべきものではなく、本考案の精神から逸脱しない限り上記の実施形態を様々に変更できるのは、当業者には明らかである。したがって、  本考案の保護範囲は、後記の特許請求の範囲に記載されるものによって決定されるべきである。
【符号の説明】
【００８０】
１１    本体
１１１  第１端
１１２  第２の端
１１２ａ    ボルト
１１３  振動モータ
１２    第１の延伸部材
１２１  第１の造形部
１２２  第１の連結部
１２２ａ    収容槽
１２３  第１の柱体部
１２４  球形体
１２５  蛇腹構造
１２６  つぶ状構造
１２７  本体
１２８  節状構造
１２９  分岐部
１３    第２の延伸部材
１３ａ  ネジ山溝
１３１  第２の造形部
１３２  第２の柱体部
１３３  第２の連結部
１３７  本体
１３９  分岐部
１４    電源
１５    コントロールモジュール
１６    遠隔制御モジュール
１７    加熱モジュール
θ１    第１角度
θ２    第２の角度
３１    本体
３１１  第１の嵌着端
３１２  第２の嵌着端
３１３  振動モータ
３２    第１の延伸部材
３２１  第１の造形部
３２２  第１の連結部
３２２ａ    第１の収容槽
３２３  第１の柱体部
３２４  球形体
３２５  蛇腹構造
３２６  つぶ状構造
３２７  節状構造
３２８  突出部
３２９ａ    第１の本体
３２９ｂ    第１の分岐部
３３    第２の延伸部材
３３１  第２の造形部
３３２  第２の連結部
３３２ａ    第２の収容槽
３３３  第２の柱体部
３３４  球形体
３３５  蛇腹構造
３３６  つぶ状構造
３３７  節状構造
３３８  突出部
３３９ａ    第２の本体
３３９ｂ    第２の分岐部
３４    電源
３５    コントロールモジュール
３６    遠隔制御モジュール
３７    加熱モジュール
２０    凹溝
２１    内表面
２２    外表面
Ａ−Ａ’    断面線
Ｄ１    溝底の幅
Ｄ２    溝口の幅
θ１    角度
θ２    挟角
【図１Ａ】
0003189370.tif 000003
【図１Ｂ】
0003189370.tif 000004
【図２】
0003189370.tif 000005
【図３Ａ】
0003189370.tif 000006
【図３Ｂ】
0003189370.tif 000007
【図３Ｃ】
0003189370.tif 000008
【図３Ｄ】
0003189370.tif 000009
【図３Ｅ】
0003189370.tif 000010
【図４Ａ】
0003189370.tif 000011
【図４Ｂ】
0003189370.tif 000012
【図５Ａ】
0003189370.tif 000013
【図５Ｂ】
0003189370.tif 000014
【図５Ｃ】
0003189370.tif 000015
【図５Ｄ】
0003189370.tif 000016
【図６Ａ】
0003189370.tif 000017
【図６Ｂ】
0003189370.tif 000018
【図７Ａ】
0003189370.tif 000019
【図７Ｂ】
0003189370.tif 000020
【図７Ｃ】
0003189370.tif 000021
【図７Ｄ】
0003189370.tif 000022
【図８Ａ】
0003189370.tif 000023
【図８Ｂ】
0003189370.tif 000024
【図９】
0003189370.tif 000025
【図１０Ａ】
0003189370.tif 000026
【図１０Ｂ】
0003189370.tif 000027
【図１１】
0003189370.tif 000028
【図１２】
0003189370.tif 000029
【図１３】
0003189370.tif 000030
【図１４】
0003189370.tif 000031
【図１５Ａ】
0003189370.tif 000032
【図１５Ｂ】
0003189370.tif 000033
【図１６】
0003189370.tif 000034
【図１７】
0003189370.tif 000035
【図１８Ａ−Ｃ】
0003189370.tif 000036
【手続補正書】
【提出日】平成26年1月6日(2014.1.6)
【手続補正１】
【補正対象書類名】実用新案登録請求の範囲
【補正対象項目名】請求項１１
【補正方法】変更
【補正の内容】
【請求項１１】
内部に振動モータを設けた基台と、
対応して設けられた第２の造形部と第２の連結部とを備える第２の延伸部材とを含み、
この第２の延伸部材の前記第２の連結部は取り外し可能な方式で前記基台に連結され、前記第２の連結部と前記基台は互いに接触する両端面の外形及び寸法が一致することを特徴とするバイブレータ。